(57)【要約】【課題】本発明は、集合状態の多数の構成部分を有する農作物の外観を的確に認識し農作物を選定する農作物選定装置及び農作物選定方法の提供を目的とする。【解決手段】本発明の農作物選定装置は、集合状態の多数の構成部分を有する農作物を撮像する撮像部と、農作物の選定の基準となる選定基準データを記憶する記憶部と、上記撮像部により撮像された画像から農作物の外観データを抽出する外観抽出手段、及びこの外観抽出手段により抽出された外観データと上記選定基準データとを比較することで農作物を選定する選定手段を有する処理部とを備え、上記外観抽出手段が上記画像から上記構成部分を認識し、上記選定手段が、認識した構成部分のデータと上記選定基準データとを比較することで農作物を選定する。【選択図】図１
2014163697.tif 000002
【特許請求の範囲】
【請求項１】
集合状態の多数の構成部分を有する農作物を撮像する撮像部と、
農作物の選定の基準となる選定基準データを記憶する記憶部と、
上記撮像部により撮像された画像から農作物の外観データを抽出する外観抽出手段、及びこの外観抽出手段により抽出された外観データと上記選定基準データとを比較することで農作物を選定する選定手段を有する処理部と
を備え、
上記外観抽出手段が、上記画像から上記構成部分を認識し、
上記選定手段が、認識した構成部分のデータと上記選定基準データとを比較することで農作物を選定する農作物選定装置。
【請求項２】
上記外観抽出手段が、農作物をワイヤーフレーム技法により表現し、
上記選定手段が、表現された農作物のワイヤーフレームと上記選定基準データとを比較することで農作物を選定する請求項１に記載の農作物選定装置。
【請求項３】
上記選定手段が、上記ワイヤーフレームの本数と上記選定基準データとを比較することで農作物を選定する請求項２に記載の農作物選定装置。
【請求項４】
上記選定手段が、領域ごとに区分けしたワイヤーフレームの本数と上記選定基準データとを比較することで農作物を選定する請求項２又は請求項３に記載の農作物選定装置。
【請求項５】
上記選定手段が、上記ワイヤーフレームの端部の個数と上記選定基準データとを比較することで農作物を選定する請求項２、請求項３又は請求項４に記載の農作物選定装置。
【請求項６】
上記選定手段が、上記ワイヤーフレームのフレーム長さと上記選定基準データとを比較することで農作物を選定する請求項２から請求項５のいずれか１項に記載の農作物選定装置。
【請求項７】
上記処理部が、上記選定手段により選定された農作物の外観データを学習し上記選定基準データを更新する学習手段をさらに有する請求項１から請求項６のいずれか１項に記載の農作物選定装置。
【請求項８】
上記選定手段が、上記構成部分の色情報と上記選定基準データとを比較することで農作物を選定する請求項１から請求項７のいずれか１項に記載の農作物選定装置。
【請求項９】
上記選定手段が、上記構成部分の画像の面積情報と上記選定基準データとを比較することで農作物を選定する請求項１から請求項８のいずれか１項に記載の農作物選定装置。
【請求項１０】
上記選定手段が、上記農作物全体の画像の面積情報を農作物選定の参考情報として用いる請求項１から請求項９のいずれか１項に記載の農作物選定装置。
【請求項１１】
集合状態の多数の構成部分を有する農作物を撮像するステップと、
撮像された画像から農作物の外観データを農作物選定装置の処理部が抽出するステップと、
農作物選定装置の記憶部に記憶された選定基準データと上記抽出された農作物の外観データとを比較することで農作物を上記処理部が選定するステップと
を有し、
上記外観データ抽出ステップで、撮像された画像から上記構成部分を認識し、
上記選定ステップで、認識した構成部分のデータと上記選定基準データとを比較することで農作物を選定する農作物選定方法。
【発明の詳細な説明】
【技術分野】
【０００１】
本発明は、農作物の農作物選定装置及び農作物選定方法に関する。
【背景技術】
【０００２】
従来、農作物選定方法の一例としては、例えば検査者が農作物の外観を視認して農作物の良否を判断することで農作物の良否判定（農作物の選定）が行われているが、カメラによって撮像された農作物のデータに基づいて農作物の特徴を認識し良否判定を行う農作物選定装置が提案されている。このような農作物選定装置においては、ベルトコンベア等によって運ばれてきた農作物をカメラ等により撮像し、撮像した情報に基づいてコンピューターが農作物のサイズ、傷、色又はキズの有無等を認識し、一定の基準に基づいて農作物を振り分けているものがある。
【０００３】
また、農作物の外観（サイズ）を認識し学習可能な装置が公知である（特開平８−２４９４７５号公報）。この装置においては、カメラにより農作物を撮像し、コンピューターが、過去の農作物の画像を学習し農作物の外観を認識している。
【０００４】
しかし、上記装置は、農作物全体の外観を認識することが可能であるが、農作物の画像が分割される等の処理がされていないため、シメジの傘やブドウの粒等のような構成部分が多数集合状態で存在する農作物の選定には適していない。
【先行技術文献】
【特許文献】
【０００５】
【特許文献１】特開平８−２４９４７５号公報
【発明の概要】
【発明が解決しようとする課題】
【０００６】
本発明はこのような事情に鑑みてなされたものであり、集合状態の多数の構成部分を有する農作物の外観を的確に認識し農作物を選定する農作物選定装置及び農作物選定方法の提供を目的とするものである。
【課題を解決するための手段】
【０００７】
上記課題を解決するためになされた本発明の農作物選定装置は、集合状態の多数の構成部分を有する農作物を撮像する撮像部と、農作物の選定の基準となる選定基準データを記憶する記憶部と、上記撮像部により撮像された画像から農作物の外観データを抽出する外観抽出手段、及びこの外観抽出手段により抽出された外観データと上記選定基準データとを比較することで農作物を選定する選定手段を有する処理部とを備え、上記外観抽出手段が、上記画像から上記構成部分を認識し、上記選定手段が、認識した構成部分のデータと上記選定基準データとを比較することで農作物を選定する。
【０００８】
当該農作物選定装置にあっては、撮像部が、集合状態が多数の構成部分を有する農作物を撮像し、処理部が、撮像部により撮像された画像から農作物の構成部分を認識することで、農産物の外観を構成部分ごとに把握することができる。これにより、この構成部分のデータと記憶部に記憶され農作物の選定の基準となる選定基準データとを比較することにより、農産物を的確に選定することができる。
【０００９】
また、上記外観抽出手段が、農作物をワイヤーフレーム技法により表現し、上記選定手段が、表現された農作物のワイヤーフレームと上記選定基準データとを比較することで農作物を選定することが好ましい。農作物をワイヤーフレーム技法により表現することにより、農作物の構成部分の連なり状態を把握できるため、農作物の構成部分の密度、バラツキ度合等を認識することができ、農産物を選定する際の選定基準にこれらの情報を利用することができる。
【００１０】
さらに、上記選定手段が、上記ワイヤーフレームの本数と上記選定基準データとを比較することで農作物を選定することが好ましい。ワイヤーフレームの本数から農作物の連なり状態にある構成部分の数を認識することができるため、農作物の構成部分の密度を認識することができる。
【００１１】
また、上記選定手段が、領域ごとに区分けしたワイヤーフレームの本数と上記選定基準データとを比較することで農作物を選定することが好ましい。ワイヤーフレームの本数を農産物の領域ごとに区分けし、その数を算出することで、農作物の領域ごとに連なり状態にある構成部分の数を認識することができるため、領域ごとに構成部分の密度を認識することができる。
【００１２】
上記選定手段が、上記ワイヤーフレームの端部の個数と上記選定基準データとを比較することで農作物を選定することが好ましい。ワイヤーフレームの端部の個数から農作物の構成部分の連なり状態が途切れている箇所の数を把握することができるため、農作物の構成部分のバラツキ度合を認識することができる。
【００１３】
また、上記選定手段が、上記ワイヤーフレームのフレーム長さと上記選定基準データとを比較することで農作物を選定することが好ましい。ワイヤーフレームのフレーム長さから連なり状態にある農作物の構成部分同士間の距離を把握することができるため、農作物の構成部分の密度を認識することができる。
【００１４】
また、当該農作物選定装置にあっては、上記処理部が、上記選定手段により選定された農作物の外観データを学習し上記選定基準データを更新する学習手段をさらに有することが好ましい。かかる構成により、農作物を選定した過去の選定結果を参考にして農作物を選定することができ、農作物選定の精度を高めることができる。
【００１５】
また、上記選定手段が、上記構成部分の色情報と上記選定基準データとを比較することで農作物を選定することが好ましい。農作物の構成部分の色情報と選定基準データとを比較することにより、構成部分ごとの色情報に基づいて農作物の選定を的確にすることができる。
【００１６】
さらに、上記選定手段が、上記構成部分の画像の面積情報と上記選定基準データとを比較することで農作物を選定することが好ましい。農作物の構成部分の面積情報と選定基準データとを比較することに、構成部分ごとの面積のバラツキ状態を認識することができ、農作物を選定することができる。
【００１７】
また、当該農作物選定装置においては、上記選定手段が、上記農作物全体の画像の面積情報を農作物選定の参考情報として用いることが好ましい。農作物全体の画像の面積情報を農作物選定の参考情報として用いることにより、農作物全体の面積からも農作物の選定をすることができる。
【００１８】
また、本発明に係る農作物を選定する農作物選定方法は、集合状態の多数の構成部分を有する農作物を撮像するステップと、撮像された画像から農作物の外観データを農作物選定装置の処理部が抽出するステップと、農作物選定装置の記憶部に記憶された選定基準データと上記抽出された農作物の外観データとを比較することで農作物を上記処理部が選定するステップとを有し、
上記外観データ抽出ステップで、撮像された画像から上記構成部分を認識し、
上記選定ステップで、認識した構成部分のデータと上記選定基準データとを比較することで農作物を選定する。
【００１９】
当該農作物選定方法にあっては、集合状態の多数の構成部分を有する農作物を撮像し、撮像された農作物の画像から農作物の構成部分を農作物選定装置の処理部が認識することで、農産物の外観を構成部分ごとに把握することができる。これにより、この構成部分のデータと農作物選定装置の記憶部に記憶された選定基準データとを比較することにより、農作物を的確に選定することができる。
【００２０】
なお、「ワイヤーフレームの端部」とは、ワイヤーフレーム技法により表現された直線が他の直線と交わらず途切れている部分を意味する。「ワイヤーフレームのフレーム長さ」とは、ワイヤーフレーム技法により表現されたそれぞれの直線の長さを意味する。
【発明の効果】
【００２１】
以上説明したように、本発明の農作物を選定する農作物選定装置及び農作物選定方法は、集合状態の多数の構成部を有する農作物の外観を的確に認識し農作物を選定する。
【図面の簡単な説明】
【００２２】
【図１】本発明の農作物選定装置を示す模式図である。
【図２】図１の農作物選定装置における農作物を選定する際のプロセス図である。
【図３】図１の農作物選定装置における農作物の特徴を把握する際のプロセス図である。
【図４】図１の農作物選定装置における農作物の構成部分を抽出した際の農作物の画像のイメージ図である。
【図５】図１の農作物選定装置における農作物をワイヤーフレームにより表現した農作物の画像イメージ図である。
【図６】図１の農作物選定装置における記憶部に記憶される選定基準データの構造を示す図である。
【発明を実施するための形態】
【００２３】
以下、図面を参酌しつつ本発明の実施の形態を説明する。
【００２４】
図１に示すように、当該農作物選定装置１は、撮像部２、情報処理装置３及び載置台４を有する。この載置台４に、選定対象物である農作物５が載置される。
【００２５】
＜撮像部２＞
撮像部２は、選定対象物の農作物５を撮像する。撮像部２は、ＣＣＤカメラ等の公知の装置を採用することができ、撮像部２で撮像された画像は、情報処理装置３に送られる。また、撮像部２は、選定対象物の農作物５を的確に撮像するため、農作物５を照射する光源を備えることができる。
【００２６】
＜情報処理装置３＞
情報処理装置３は、処理部３１及び記憶部３２を有する。情報処理装置３は、具体的にはコンピューターであり、撮像部２により撮像された画像から農作物５の特徴を抽出し、農作物５を選定する。また、情報処理装置３は、抽出した農作物５の特徴及び選定した結果を学習し、学習した情報を農作物５の選定に利用する。
【００２７】
情報処理装置３は、外観抽出手段３１ａ、選定手段３１ｂ及び学習手段３１ｃを備えている。なお、処理部３１は、後述する記憶部３２に記憶されたプログラムに基づいて、外観抽出手段３１ａ、選定手段３１ｂ及び学習手段３１ｃの各種手段として機能する。
【００２８】
外観抽出手段３１ａは、撮像部２により撮像された画像から農作物５の外観の特徴の情報を有する外観データを抽出する。
【００２９】
選定手段３１ｂは、外観抽出手段３１ａにより抽出された農作物５の外観データから農作物５を選定する。農作物５を選定するに際しては、外観抽出手段３１ａにより抽出され農作物５の外観の特徴の情報を有する外観データと記憶部３２に記憶される選定基準データとを比較することにより、農作物５を選定する。
【００３０】
また、農作物５を選定した結果は、情報処理装置５から出力され、農作物５が仕分けられる。農作物の仕分け方法は、特に限定されないが、載置台４に出力情報が送信され載置台４が自動で農作物５を振り分けてもよく、また、検査担当者が、情報処理装置３からの出力情報を確認して農作物５を振り分けてもよい。なお、選定結果としては、二種類（例えば良品／不良品）とすることもでき、または三種類以上（例えば農作物の等級等）とすることも適宜設計変更可能である。
【００３１】
学習手段３１ｃは、外観抽出手段３１ａにより抽出された外観データ及び選定手段３１ｂにより選定された選定結果を学習し、選定基準データを更新する。
【００３２】
記憶部３２は、外観データ及び選定基準データを記憶する。外観データは、上述のように外観抽出手段３１ａにより抽出されたものが記憶される。また、選定基準データは、検査担当者により作成及び更新され、また学習手段３１ｃにより更新される。
【００３３】
また、記憶部３２は、外観抽出手段３１ａ、選定手段３１ｂ及び学習手段３１ｃにおいて使用される各種プログラム等が記憶される。各種プログラムは、後述する検査方法において説明する処理を実現するためのプログラムであり、情報処理装置５に適合するプログラムが用いられる。
【００３４】
＜載置台４＞
載置台４は、検査対象物である農作物５が載置される台である。載置台４に載置された農作物５は、撮像部２により撮像される。載置台４は、特に限定されないが、静止した状態の台でもよく、例えばベルトコンベアのように農作物５を移動させる搬送台でもよい。
【００３５】
また、載置台４が搬送台である場合は、処理部３１からの農作物５が選定情報に基づいて農作物５を振り分けるレーンを有する構成を採用することができる。
【００３６】
＜農作物５＞
当該農作物選定装置１においては、集合状態の多数の構成部分を有する農作物５が好適な選定対象物である。この農作物選定に好適な農作物としては、例えば、シメジのように複数の構成部分である傘と柄が一体的に多数密集しているものや、ブドウのように複数の構成部分である粒が一体的に多数密集しているものが挙げられる。
【００３７】
＜選定方法＞
次に、当該農作物選定装置１における農作物５の選定方法について説明する。
【００３８】
当該農作物選定装置１は、図２に示すように、（Ｉ）撮像、（ＩＩ）外観抽出、（ＩＩＩ）選定、及び（ＩＶ）学習の選定プロセスを有する。
【００３９】
（Ｉ）撮像
載置台４に載置された農作物５は、撮像部２により撮像される。撮像された画像は、情報処理装置３に送信される。また、載置台４が、例えばベルトコンベアのように農作物を移動させる構成のものである場合は、農作物５が所定の位置に来た際に撮像部２により農作物５が撮像される。
【００４０】
撮像部２により撮像される画像は、静止画像でも動画像でもよい。ただし、撮像部２により撮像される画像が動画像の場合は、情報処理装置３に動画像が送られた後、この動画像から農作物５が撮像されている画像が抜き出され静止画像にされる。
【００４１】
また、撮像部２により撮像される画像は、デジタル画像でもアナログ画像でもよい。ただし、アナログ画像で撮像される場合は、情報処理装置３に画像が送信された後、デジタル画像に変換される。デジタル画像への変換は、公知の方法を採用することができ、例えばアナログ画像を標本化し量子化する方法が挙げられる。
【００４２】
（ＩＩ）外観抽出
撮像部２により撮像された画像は、情報処理装置３に送られ記憶部３２に記憶される。なお、上述のように、撮像部２により撮像された画像が、動画像の場合は動画像から静止画が抜き出され、アナログ画像の場合はデジタル画像に変換される。
【００４３】
記憶部３２に記憶された画像は、処理部３１により読み込まれる。そして、処理部３１は、図３に示すように、（１）農作物全体の抽出、（２）構成部分の抽出、（３）色情報の取得、（４）面積情報の取得、（５）ワイヤーフレームによる表現、（６）ワイヤーフレームの本数の取得、及び（７）ワイヤーフレームの端部の数の取得の各ステップにより読み込まれた画像から農作物の外観の特徴を抽出する。
【００４４】
処理部３１は、農作物全体の抽出ステップにおいて、まず農作物５全体を強調するために、処理部３１により読み込まれた画像に対して強調処理を行い強調画像を生成する。強調処理の方法は、公知の方法を採用することができ、例えばヒストグラム均等化法、アンシャープ処理法等を採用することができる。
【００４５】
次に、処理部３１は、強調処理が行われた強調画像を用いて、二値化処理を行い、農作物５全体の領域の候補となる領域を抽出する。二値化処理を行う際の閾値の設定方法は、公知の方法を採用することができ、Ｐ−タイル法、モード法、判別分析法等を採用することができる。
【００４６】
そして、処理部３１は、農作物５全体の領域の候補となる領域から特徴抽出を行い、農作物５全体の領域を抽出する。特徴抽出の方法は、公知の方法を採用するこができ、例えばエッジ抽出、領域分割抽出、テクスチャ抽出等を採用することができる。これにより、農作物５全体の領域を抽出することができる。
【００４７】
さらに、処理部３１は、図４のイメージ図に示すように、抽出された農作物５全体の領域が全て含まれ且つ最小となる全体円４１を設定する。そして、この設定した全体円４１の内部の領域を農作物５全体とする。
【００４８】
処理部３１は、特徴抽出により抽出された農作物５全体の領域に対して、平滑化処理を行う。この平滑化方法は、公知の方法を採用することができ、移動平均法、メディアンフィルタ等を採用することができる。この平滑化処理により、農作物５全体の領域部分のノイズを除去することができ、これにより農作物全体の抽出ステップが完了する。
【００４９】
そして、構成部分の抽出ステップにおいて、処理部３１は、上記のようにノイズを除去した農作物５全体の領域部分から、領域分割する。領域分割の方法は公知の方法を採用することができ、ヒストグラムの閾値処理や、クラスタリングによる方法等を採用することができる。これにより、農作物５全体の画像を同じ特徴を持つ複数の領域に分割することができる。
【００５０】
処理部３１は、領域分割した画像から特徴抽出を行い、農作物５の構成部分の領域を抽出する。この特徴抽出の方法は、公知の方法を採用するこができ、例えばエッジ抽出、テクスチャ抽出等を採用することができる。これにより、農作物５の構成部分の領域を抽出することができる。
【００５１】
さらに、処理部３１は、図４のイメージ図に示すように、農作物５の構成部分の領域内にあてはまる最大円となる構成部分円４２を設定する。そして、設定した構成部分円４２の内部の領域を農作物５の構成部分とする。
【００５２】
処理部３１は、色情報の取得ステップにおいて、記憶部３２から読み込んだ農作物５の画像から構成部分の抽出ステップで設定した構成部分円４２にあたる領域のＲＧＢデータを取得する。この取得したＲＧＢデータを農作物５の構成部分の色情報とすることができる。なお、このＲＧＢデータは、特に限定されないが、例えば０から２５５の値でＲＧＢ成分を表現することができる。
【００５３】
また、このＲＧＢデータは、外観データの一部である農作物の構成部分のデータとして記憶部３２に記憶されるが、記憶部３２に記憶される具体的なデータは、後述する（ＩＩＩ）選定による選定基準に合わせたデータが記憶されればよい。本実施形態では、農作物５の構成部分の中から最大値のＲＧＢデータを外観データの一部として記憶部３２に記憶される。なお、（ＩＩＩ）選定による選定基準によっては、農作物５の構成部分の中から最小値、平均値、中間値等が外観データの一部として記憶されてもよい。
【００５４】
処理部３１は、面積情報の取得ステップにおいて、記憶部３２から読み込んだ農作物５の画像から農作物全体の抽出ステップで設定した全体円４１の直径部分の画素数を取得する。この取得した画素数を農作物全体の面積情報とすることができる。この画素数は、外観データの一部として記憶部３２に記憶される。なお、（ＩＩＩ）選定による選定基準によっては、全体円４１の領域の画素数を取得して農作物５全体の面積情報とすることもできる。
【００５５】
さらに、処理部３１は、記憶部３２から読み込んだ農作物５の画像から構成部分の抽出ステップで設定した構成部分円４２の直径部分の画素数を取得する。この取得した画素数を農作物５の構成部分の面積情報とすることができる。なお、構成部分円４２の領域の画素数を取得して、構成部分の面積情報としてもよい。
【００５６】
また、この画素数は、外観データの一部である農作物の構成部分のデータとして記憶部３２に記憶されるが、記憶部３２に記憶される具体的なデータは、後述する（ＩＩＩ）選定による選定基準に合わせて記憶されればよい。本実施形態では、農作物５全体の中央部分にあたる構成部分の最大面積と最小面積の差を外観データの一部として記憶部に記憶する。具体的には、農作物全体の抽出ステップで設定した全体円４１の直径が半分の領域に存在する構成部分円４２の最小画素数と最大画素数を取得し、その差分を記憶部３２に記憶する。これにより、農作物５全体の中央部分の構成部分の大きさにバラツキがあるか否かを把握することができる。
【００５７】
処理部３１は、ワイヤーフレームによる表現ステップにおいて、構成部分の抽出ステップで設定した構成部分円４２が重なりあっている構成部分円４２を取得し、重なりあっている構成部分円４２のそれぞれの中心５１を直線５２で結びつける。この処理を、図５に示すように、すべての構成部分円４２に対して行うことにより、ワイヤーフレーム技法により農作物を表現することができる。
【００５８】
処理部３１は、ワイヤーフレームの本数の取得ステップにおいて、上述のようにワイヤーフレームにより表現された情報から、農作物５の構成部分円４２の中心５１同士が結ばれている直線５２の数を取得する。この取得した本数を農作物５のワイヤーフレームの本数とし、この本数を外観データの一部である農作物の構成部分のデータとして記憶部３２に記憶する。
【００５９】
また、処理部３１は、記憶部３２から読み込んだ農作物５の画像を四分割に区分けし、この区分けした領域ごとに上述のワイヤーフレームの本数を取得する。この取得した本数を外観データの一部である農作物の構成部分のデータとして記憶部３２に記憶する。
【００６０】
処理部３１は、ワイヤーフレームの端部の数の取得ステップにおいて、ワイヤーフレームにより表現された情報から、農作物５の構成部分円４２の中心５１同士が結ばれている直線５２が他の直線と交わらずに途切れている部分である端部５３の数を取得する。この取得した端部の数を農作物のワイヤーフレームの端部５３の数とし、この端部５３の数を外観データの一部である農作物の構成部分のデータとして記憶部３２に記憶することができる。
【００６１】
（ＩＩＩ）選定
処理部３１は、外観データと選定基準データとを比較することにより、農作物５の選定を行う。
【００６２】
外観データは、上述のように（ＩＩ）外観抽出により抽出される。一方、選定基準データは、農作物５の選定の教師データとして、最初は検査担当者により情報処理装置３に入力され記憶部３２に記憶される。
【００６３】
選定基準データは、図６に示すように、農作物５の外観の特徴データとその農作物５の選定情報（図６においては、「選定」項目）とを有する。選定基準データの農作物５の外観の特徴データは、（ＩＩ）外観抽出により抽出される外観データの項目に合わせられる。
【００６４】
本実施形態における農作物５の外観の特徴データとしては、上述のとおり、農作物５の構成部分の色（最大値のＲＧＢデータ）、農作物５の中央部分の構成部分の最小面積と最大面積の差、農作物５全体の面積（直径部分の画素数）、農作物５のワイヤーフレームの本数、領域ごとのワイヤーフレームの数、及びワイヤーフレームの端部の数を採用する。
【００６５】
選定基準データは、複数のこれらの農作物５の外観の特徴データとその農作物５の選定結果が登録される。
【００６６】
処理部３１は、（ＩＩ）外観抽出により抽出された外観データと選定基準データとを比較し、外観データに類似した選定基準データを探索する。探索方法としては、公知の方法を採用することができ、例えば、ＳＶＭ法、ＰＡ法等を採用することができる。
【００６７】
そして、処理部３１が、最も類似している選定基準データを特定し、特定した選定基準データの選定結果を検査対象物である農作物選定の選定結果とする。これにより、農作物を選定することができる。
【００６８】
（ＩＶ）学習
処理部３１は、農作物５を選定した後、（ＩＩ）外観抽出により抽出した外観データとこの外観データの（ＩＩＩ）選定での選定結果を選定基準データに追加する。これにより、検査した農作物５の外観の特徴とこの農作物５の選定結果とが選定基準データに追加され、次に検査される農作物５の（ＩＩＩ）選定により利用されることができる。
【００６９】
＜利点＞
当該農作物選定装置１にあっては、処理部３１が、撮像部２より撮像された農作物５の画像から農作物５の構成部分を認識することにより、農作物５の外観を構成部分ごとに把握することできる。これにより、農作物５の構成成分を考慮して農作物５を的確に選定することができる。また、処理部３１は、農作物５の構成部分の色情報及び面積情報を取得するため、農作物の構成部分ごとの色の不良や構成部分の大きさのバラツキ具合から農作物を選定することができる。
【００７０】
さらに、農作物５の構成部分をワイヤーフレームにより表現することにより、農作物５の構成部分の連なり状態を把握できるため、ワイヤーフレームの本数から構成部分の密度、ワイヤーフレームの端部から構成部分のバラツキ具合を把握することができ、農作物５の外観を的確に認識し、農作物を選定することができる。
【００７１】
また、当該農作物選定装置１においては、領域ごとに区分けしたワイヤーフレームの本数により農作物の選定を行うため、農作物の領域ごとの構成部分のバラツキを把握することができ、農作物５の外観を領域ごとに認識し農作物を選定することができる。
【００７２】
また、外観データは農作物５全体の面積情報を有するため、農作物５の構成部分の特徴に加えて農産物５全体の面積情報も選定する際の基準とすることができる。
【００７３】
さらに、当該農作物選定装置１は、選定された農作物の外観データを学習するため、農作物５の外観を検査するにしたがい、農作物５の選定精度が向上する。
【００７４】
＜その他の実施形態＞
また、本発明は、上記実施形態の構成に限定されるものではなく、以下の実施形態も有する。
【００７５】
当該農作物選定装置は、農作物の選定においては、選定基準項目として上述のように農作物５の構成部分の色（最大値のＲＧＢデータ）、農作物５の中央部分の構成部分の最小面積と最大面積の差、農作物５全体の面積（直径部分の画素数）、農作物５のワイヤーフレームの本数、領域ごとのワイヤーフレームの数、及びワイヤーフレームの端部の数を採用しているが、これらの項目の組み合わせに限定されず、選定対象物である農作物の種類によって決定されてよく、一項目だけでもよく、任意の複数の項目の組み合わせでもよい。
【００７６】
具体例としては、農作物の全体円の形状の扁平率を選定基準項目に追加することができる。これにより農作物全体の形状を把握し、農作物の選定をすることができる。また、農作物の構成部分の面積（直径部分の画素数）や、農作物全体における構成部分の最小面積と最大面積の差等、他の項目が追加されてもよい。
【００７７】
さらに、選定基準項目として、ワイヤーフレームのフレーム長さを追加することもできる。農作物のワイヤーフレームにより表現された情報から、農作物の構成部分円の中心同士が結ばれている直線の長さを取得し選定基準に用いることで、連なり状態にある農作物の構成部分同士間の距離から農作物の構成部分の密度を認識することができるため、農作物を選定することができる。
【００７８】
また、上記実施形態では、処理部３１は、記憶部３２から読み込んだ農作物５の画像を四分割に区分けし、この区分けした領域ごとに上述のワイヤーフレームの本数を取得しているが、特に区分けする領域は、四分割に限定されず、選定対象物である農作部の種類によって決定されてよく、適宜設計変更可能な事項である。
【００７９】
また、当該農作物選定装置においては、処理部が学習手段を有していない構成でもよい。これにより、選定基準データのデータ量を制限でき処理部の演算スピードを向上させることができる。
【産業上の利用可能性】
【００８０】
以上のように、本発明の農作物選定装置は、農作物を選定する装置として有用であり、例えば農作物の良否を判定する農作物の良否判定に用いることができ、特に集合状態の多数の構成部分を有する農作物の選定に好適に用いられる。
【符号の説明】
【００８１】
１  農作物選定装置
２  撮像部
３  情報処理装置
４  載置台
５  農作物
３１  処理部
３１ａ  外観抽出手段
３１ｂ  選定手段
３１ｃ  学習手段
３２  記憶部
４１  全体円
４２  構成部分円
５１  中心
５２  直線
５３  端部
【図１】
2014163697.tif 000003
【図２】
2014163697.tif 000004
【図３】
2014163697.tif 000005
【図６】
2014163697.tif 000006
【図４】
2014163697.tif 000007
【図５】
2014163697.tif 000008